【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
偽造インクを検出するための方法（５００）であって、
カラープリンタによって使用されたいくつかの純正インクについての純正インク色彩値を決定することによって該カラープリンタを較正し（５０１）、
マルチカラープリントカートリッジを前記カラープリンタ内へと挿入し（５０３）、
前記プリントカートリッジのマルチカラーインクを用いてマルチカラーパターンを印刷し（５０５）、
光源から前記カラーパターンに対して光を出力し（５０７）、
カラーセンサを用いて、前記カラーパターンから反射された前記光源からの光を検出し（５０９）、
前記カラーパターンの色成分ごとのパターン色彩値を計算するために、前記検出された光を処理し（５１１）、
前記パターン色彩値を前記純正インク色彩値と比較し（５１３）、及び、
前記パターン色彩値と前記純正インク色彩値との差分が、ある閾値よりも大きい場合には、偽造インク信号を出力し、従って、前記プリントカートリッジの前記マルチカラーインクが偽造品であることが示される（５１５）
ことを含む、方法。
【請求項２】
前記カラープリンタによって使用されたいくつかの純正インクについての純正インク色彩値を決定することが、
純正プリントカートリッジを用いて較正用カラーテストパターンを印刷し、
較正用光源から前記較正用カラーテストパターンに対して光を出力し、
較正用カラーセンサを用いて、前記カラーパターンから反射された前記較正用光源からの光を検出し、及び、
前記純正インク色彩値を計算するために、前記検出された光を処理する
ことを含むことからなる、請求項１に記載の方法。
【請求項３】
前記カラープリンタによって使用されたいくつかの純正インクについての純正インク色彩値を決定することによって該カラープリンタを較正することが、前記カラープリンタに関連付けられた記憶装置内へと前記純正インク色彩値をプログラムすることを更に含むことからなる、請求項１に記載の方法。
【請求項４】
前記プリンタをシャットダウンするために、前記偽造インク出力信号を使用することを更に含む、請求項１に記載の方法。
【請求項５】
前記偽造インク出力信号を用いて、プリンタ製造業者にメッセージを送ることを更に含み、該メッセージは、少なくとも一部がインターネットを介して伝達されることからなる、請求項１に記載の方法。
【請求項６】
前記マルチカラーインクが偽造品であるという警告を、前記プリンタのユーザに対して提供するために、前記偽造インク出力信号を使用することを更に含む、請求項１に記載の方法。
【請求項７】
前記光源が、ＬＥＤであることからなる、請求項１に記載の方法。
【請求項８】
前記マルチカラーパターンを印刷することが、異なる色の複数の色付けされた四角形を印刷することを含むことからなる、請求項１に記載の方法。
【請求項９】
前記マルチカラーパターンを印刷することが、該マルチカラーパターンを紙上に印刷することを含むことからなる、請求項１に記載の方法。
【請求項１０】
前記光源と前記カラーセンサとが、前記プリンタの一部であることからなる、請求項１に記載の方法。
【請求項１１】
前記光源と前記カラーセンサとが、記憶装置とプロセッサと共に、プリンタに接続されるための偽造インク検出モジュールの一部であることからなる、請求項１に記載の方法。
【請求項１２】
前記カラーセンサが、赤−青−緑のカラーセンサであり、前記マルチカラーインクが、シアン、黄、及びマゼンタの色を含むことからなる、請求項１に記載の方法。
【請求項１３】
前記マルチカラープリントカートリッジが、単一ハウジング内に存在することからなる、請求項１に記載の方法。
【請求項１４】
前記マルチカラープリントカートリッジが、異なる色のインクを各々が有するいくつかの別個のハウジングから構成されることからなる、請求項１に記載の方法。
【請求項１５】
前記マルチカラーパターンを印刷することが、印刷されることとなるカラー画像を印刷することを含むことからなる、請求項１に記載の方法。
【請求項１６】
カラーセンサを用いて、前記カラーパターンから反射された前記光源からの光を検出することが、前記カラーパターンから垂直に拡散反射された光を検出することを含むことからなる、請求項１に記載の方法。
【請求項１７】
カラープリンタ（１０３）であって、該カラープリンタによって使用されたいくつかの純正インク（１１５）についての純正インク色彩値（１３１）を決定することによって較正される、カラープリンタと、
前記カラープリンタ（１０３）内へと挿入されるマルチカラープリントカートリッジ（１４１）と、
前記プリントカートリッジ（１４１）のマルチカラーインク（１４３）を用いて印刷されるマルチカラーパターン（２０１）と、
前記カラーパターン（２０１）に対して光を出力する光源（１２１）と、
前記カラーパターン（２０１）から反射された前記光源（１２１）からの光を検出するカラーセンサ（１２３）と、
前記カラーパターン（２０１）の色成分ごとのパターン色彩値（１３５）を計算して、該パターン色彩値（１３５）を前記純正インク色彩値（１３１）と比較するための、前記検出された光を処理するプロセッサ（１１１）と、
前記パターン色彩値（１３５）と前記純正インク色彩値（１３１）との差分が、ある閾値よりも大きい場合には、前記プロセッサによって出力される偽造インク信号であって、それにより、前記プリントカートリッジ（１４１）の前記マルチカラーインク（１４３）が偽造品であることが示されることからなる、偽造インク信号
とを備える、偽造インク検出器（１０１）。
【請求項１８】
前記カラープリンタが、
純正プリントカートリッジを用いて、較正用カラーテストパターンを印刷し、
較正用光源から前記較正用カラーテストパターンに対して光を出力し、
較正用カラーセンサを用いて、前記カラーパターンから反射された前記較正用光源からの光を検出し、及び、
前記純正インク色彩値を計算するために、前記検出した光を処理する
ことによって、較正されることからなる、請求項１７に記載の偽造インク検出器。
【請求項１９】
前記純正インク色彩値でプログラムされた前記カラープリンタに関連付けられた記憶装置を更に備える、請求項１７に記載の偽造インク検出器。
【請求項２０】
前記プリンタが、前記偽造インク出力信号を用いてシャットダウンされる、請求項１７に記載の偽造インク検出器。
【請求項２１】
前記偽造インク出力信号が、プリンタ製造業者にメッセージを送るために使用され、該メッセージは、少なくとも一部がインターネットを介して伝達されることからなる、請求項１７に記載の偽造インク検出器。
【請求項２２】
前記偽造インク出力信号が、前記マルチカラーインクが偽造品であるという警告を、前記プリンタのユーザに提供するために使用される、請求項１７に記載の偽造インク検出器。
【請求項２３】
前記光源が、ＬＥＤである、請求項１７に記載の偽造インク検出器。
【請求項２４】
前記マルチカラーパターンが、異なる色の複数の色付けされた四角形を含む、請求項１７に記載の偽造インク検出器。
【請求項２５】
前記マルチカラーパターンを含む前記マルチカラーパターンが印刷される紙を更に備える、請求項１７に記載の偽造インク検出器。
【請求項２６】
前記光源と前記カラーセンサとが、前記プリンタの一部である、請求項１７に記載の偽造インク検出器。
【請求項２７】
前記光源と前記カラーセンサとが、記憶装置とプロセッサと共に、プリンタに接続されるための偽造インク検出モジュールの一部である、請求項１７に記載の偽造インク検出器。
【請求項２８】
前記カラーセンサが、赤−青−緑のカラーセンサであり、前記マルチカラーインクが、シアン、黄、及びマゼンタの色を含むことからなる、請求項１７に記載の偽造インク検出器。
【請求項２９】
前記マルチカラープリントカートリッジが、単一ハウジング内に存在する、請求項１７に記載の偽造インク検出器。
【請求項３０】
前記マルチカラープリントカートリッジが、異なる色のインクを各々が有するいくつかの別個のハウジングから構成される、請求項１７に記載の偽造インク検出器。
【請求項３１】
前記マルチカラーパターンが、印刷されることとなるカラー画像を含む、請求項１７に記載の偽造インク検出器。
【請求項３２】
前記カラーパターンから反射されて、前記カラーセンサを用いて検出される前記光が、前記カラーパターンから垂直に拡散反射される光を含む、請求項１７に記載の偽造インク検出器。